Podtech/llm-jp-corpus-v4-ja_patent huggingface dataset:
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技を行うか否かの判定を行う判定手段と、
所定の演出手段に演出を行わせる演出制御手段と、
遊技者による操作の入力を受ける操作手段と、を備えた遊技機であって、
前記演出制御手段は、
前記操作の入力に応じて前記判定手段の判定結果に基づく操作対応演出を行わせる操作対応演出制御手段と、
前記判定手段により前記特別遊技を行うと判定されているとき、それを告知する確定演出を行わせることが可能な確定演出制御手段と、を有し、
前記判定手段により前記特別遊技を行うと判定されている場合において前記操作の入力に応じて前記操作対応演出を行わせる際、前記操作の入力が有効な所定期間中の前記操作の入力に応じて前記確定演出を前記操作対応演出と併せて行わせる第１制御と、前記所定期間の開始タイミングにおいて前記確定演出を行わせるとともに、当該所定期間中の前記操作の入力に応じて前記操作対応演出を行わせる第２制御と、を含む複数の制御の何れかを実行可能であり、
前記所定期間として、第１所定期間と、前記第１所定期間よりも後の第２所定期間と、があり、
前記判定手段により前記特別遊技を行うと判定されている場合、前記第１所定期間に対してよりも前記第２所定期間に対して方が、前記第１制御又は前記第２制御が実行され易い
ことを特徴とする遊技機。
【手続補正２】
【補正対象書類名】明細書
【補正対象項目名】００１２
【補正方法】変更
【補正の内容】
【００１２】
本発明に係る遊技機は、始動条件の成立により遊技者に有利な特別遊技を行うか否かの判定を行う判定手段と、所定の演出手段に演出を行わせる演出制御手段と、遊技者による操作の入力を受ける操作手段と、を備えた遊技機であって、前記演出制御手段は、前記操作の入力に応じて前記判定手段の判定結果に基づく操作対応演出を行わせる操作対応演出制御手段と、前記判定手段により前記特別遊技を行うと判定されているとき、それを告知する確定演出を行わせることが可能な確定演出制御手段と、を有し、前記判定手段により前記特別遊技を行うと判定されている場合において前記操作の入力に応じて前記操作対応演出を行わせる際、前記操作の入力が有効な所定期間中の前記操作の入力に応じて前記確定演出を前記操作対応演出と併せて行わせる第１制御と、前記所定期間の開始タイミングにおいて前記確定演出を行わせるとともに、当該所定期間中の前記操作の入力に応じて前記操作対応演出を行わせる第２制御と、を含む複数の制御の何れかを実行可能であり、前記所定期間として、第１所定期間と、前記第１所定期間よりも後の第２所定期間と、があり、前記判定手段により前記特別遊技を行うと判定されている場合、前記第１所定期間に対してよりも前記第２所定期間に対して方が、前記第１制御又は前記第２制御が実行され易いことを特徴とする。
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
ベース部材に対して第１位置と第２位置との間で回動すると共に、
ベース部材に対して第１位置と第２位置との間で往復移動する可動部材と、
線形をなして、一端が前記ベース部材に取り付けられる一方、他端が前記可動部材に取り付けられ、前記可動部材を前記第１位置から前記第２位置側へと付勢する引張弾性部材とを備えた遊技機であって、
前記ベース部材に設けられ、前記引張弾性部材の少なくとも一部に当接して前記引張弾性部材を屈曲状態に保持しながら前記引張弾性部材の伸縮を許容する屈曲保持部を備えたことを特徴とする遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、ベース部材に対して第１位置と第２位置との間で回動すると共に、ベース部材に対して第１位置と第２位置との間で往復移動する可動部材と、線形をなして、一端が前記ベース部材に取り付けられる一方、他端が前記可動部材に取り付けられ、前記可動部材を前記第１位置から前記第２位置側へと付勢する引張弾性部材とを備えた遊技機であって、前記ベース部材に設けられ、前記引張弾性部材の少なくとも一部に当接して前記引張弾性部材を屈曲状態に保持しながら前記引張弾性部材の伸縮を許容する屈曲保持部を備えたところに特徴を有する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
記憶部を備えるコンピュータのゲーム制御方法であって、
レア度ごとに複数のグループに分類された複数のゲーム媒体を前記記憶部に記憶し、
プレイヤからの第１の要求に応答して、前記複数のゲーム媒体のうちのいずれかのゲーム媒体を選択して前記プレイヤに提示し、
前記プレイヤからの第２の要求に応答して、前記選択されたゲーム媒体を前記プレイヤに付与することなく、前記選択されたゲーム媒体が属するグループに分類された他のゲーム媒体を選択する、
ことを含むことを特徴とするゲーム制御方法。
【請求項２】
前記プレイヤからの要求に応答した選択回数が所定回数未満である場合、前記選択されたゲーム媒体が属するグループに分類された他のゲーム媒体を選択する、請求項１に記載のゲーム制御方法。
【請求項３】
前記選択された他のゲーム媒体及び前記他のゲーム媒体のレア度を前記プレイヤに提示する、請求項１又は２に記載のゲーム制御方法。
【請求項４】
表示部及び操作部を備えるコンピュータのゲーム制御方法であって、
前記操作部を介してプレイヤからの第１の要求を取得し、
前記第１の要求に応答して選択された、レア度ごとに複数のグループに分類された複数のゲーム媒体のうちのいずれかのゲーム媒体に関する情報を受信して前記表示部に表示し、
前記操作部を介して前記プレイヤからの第２の要求を取得し、
前記表示されたゲーム媒体を前記プレイヤに付与することなく、前記第２の要求に応答して選択された、前記表示されたゲーム媒体が属するグループに分類された他のゲーム媒体に関する情報を受信して前記表示部に表示する、
ことを含むことを特徴とするゲーム制御方法。
【請求項５】
前記プレイヤからの要求に応答した選択回数が所定回数未満である場合、前記表示されたゲーム媒体が属するグループに分類された他のゲーム媒体に関する情報を受信して前記表示部に表示する、請求項４に記載のゲーム制御方法。
【請求項６】
前記他のゲーム媒体に関する情報を受信して前記表示部に表示することにおいて、前記他のゲーム媒体のレア度が表示される、請求項４又は５に記載のゲーム制御方法。
【請求項７】
レア度ごとに複数のグループに分類された複数のゲーム媒体を記憶する記憶部と、
プレイヤからの第１の要求に応答して、前記複数のゲーム媒体のうちのいずれかのゲーム媒体を選択して前記プレイヤに提示し、
前記プレイヤからの第２の要求に応答して、前記選択されたゲーム媒体を前記プレイヤに付与することなく、前記選択されたゲーム媒体が属するグループに分類された他のゲーム媒体を選択する、処理部と、
を備えることを特徴とするコンピュータ。
【請求項８】
表示部及び操作部を備えるコンピュータであって、
前記操作部を介してプレイヤからの第１の要求を取得し、
前記第１の要求に応答して選択された、レア度ごとに複数のグループに分類された複数のゲーム媒体のうちのいずれかのゲーム媒体に関する情報を受信して前記表示部に表示し、
前記操作部を介して前記プレイヤからの第２の要求を取得し、
前記表示されたゲーム媒体を前記プレイヤに付与することなく、前記第２の要求に応答して選択された、前記表示されたゲーム媒体が属するグループに分類された他のゲーム媒体に関する情報を受信して前記表示部に表示する、処理部
を有することを特徴とするコンピュータ。
【請求項９】
記憶部を備えるコンピュータの制御プログラムであって、
レア度ごとに複数のグループに分類された複数のゲーム媒体を前記記憶部に記憶し、
プレイヤからの第１の要求に応答して、前記複数のゲーム媒体のうちのいずれかのゲーム媒体を選択して前記プレイヤに提示し、
前記プレイヤからの第２の要求に応答して、前記選択されたゲーム媒体を前記プレイヤに付与することなく、前記選択されたゲーム媒体が属するグループに分類された他のゲーム媒体を選択する、
ことを前記コンピュータに実行させることを特徴とする制御プログラム。
【請求項１０】
表示部及び操作部を備えるコンピュータの制御プログラムであって、
前記操作部を介してプレイヤからの第１の要求を取得し、
前記第１の要求に応答して選択された、レア度ごとに複数のグループに分類された複数のゲーム媒体のうちのいずれかのゲーム媒体に関する情報を受信して前記表示部に表示し、
前記操作部を介して前記プレイヤからの第２の要求を取得し、
前記表示されたゲーム媒体を前記プレイヤに付与することなく、前記第２の要求に応答して選択された、前記表示されたゲーム媒体が属するグループに分類された他のゲーム媒体に関する情報を受信して前記表示部に表示する、
ことを前記コンピュータに実行させることを特徴とする制御プログラム。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
遊技の進行を制御し、遊技の進行に合わせたコマンドを送信する主制御部と、
該主制御部から送信されたコマンドに基づいて演出を決定し、決定した演出を演出装置に実行させる演出制御部と、
遊技者による操作が可能であり、かつ遊技者による操作に関する操作状況を検出する操作手段と、
前記操作手段から検出された前記操作状況を操作情報として処理する操作制御手段と
を備える遊技機であって、
前記演出制御部は、
前記操作情報が遊技者により前記操作手段が操作されていることを示すものであるときに当該操作情報を操作時間に関連付けて処理する処理手段を備え、
前記操作情報として少なくとも、前記操作手段が非操作状態から操作状態に変化したかどうかを示す情報を記憶するエッジ記憶部および前記操作手段が継続操作されている時間に関連付けた情報を記憶するオン信号カウント数記憶部を備え、
前記演出に基づいて定められた所定期間内において、前記操作情報が所定時間以上継続して前記操作手段が操作される第１の操作を示すものであること、及び前記所定時間未満継続して前記操作手段が操作される第２の操作を示すものであることを少なくとも判断可能であり、
前記所定期間のうち、前記第１の操作が行われたか否かを判定する第１の操作受付有効期間内であるか、前記第２の操作が行われたか否かを判定する第２の操作受付有効期間内であるかにかかわらず、前記エッジ記憶部内及び前記オン信号カウント数記憶部内の前記操作情報を一定間隔のサンプリングタイミング毎に更新可能であり、
前記第１の操作受付有効期間内に前記操作情報が前記第１の操作を示すものであると判断した場合、前記第１の操作が行われたものとして処理し、
前記第２の操作受付有効期間内に前記操作情報が前記第１の操作を示すものであると判断した場合、前記第１の操作が行われたものとする演出を行わないことを特徴とする遊技機。
【手続補正２】
【補正対象書類名】明細書
【補正対象項目名】０００６
【補正方法】変更
【補正の内容】
【０００６】
上記目的を達成するため、請求項１に係る発明は、
遊技の進行を制御し、遊技の進行に合わせたコマンドを送信する主制御部と、
該主制御部から送信されたコマンドに基づいて演出を決定し、決定した演出を演出装置に実行させる演出制御部と、
遊技者による操作が可能であり、かつ遊技者による操作に関する操作状況を検出する操作手段と、
前記操作手段から検出された前記操作状況を操作情報として処理する操作制御手段と
を備える遊技機であって、
前記演出制御部は、
前記操作情報が遊技者により前記操作手段が操作されていることを示すものであるときに当該操作情報を操作時間に関連付けて処理する処理手段を備え、
前記操作情報として少なくとも、前記操作手段が非操作状態から操作状態に変化したかどうかを示す情報を記憶するエッジ記憶部および前記操作手段が継続操作されている時間に関連付けた情報を記憶するオン信号カウント数記憶部を備え、
前記演出に基づいて定められた所定期間内において、前記操作情報が所定時間以上継続して前記操作手段が操作される第１の操作を示すものであること、及び前記所定時間未満継続して前記操作手段が操作される第２の操作を示すものであることを少なくとも判断可能であり、
前記所定期間のうち、前記第１の操作が行われたか否かを判定する第１の操作受付有効期間内であるか、前記第２の操作が行われたか否かを判定する第２の操作受付有効期間内であるかにかかわらず、前記エッジ記憶部内及び前記オン信号カウント数記憶部内の前記操作情報を一定間隔のサンプリングタイミング毎に更新可能であり、
前記第１の操作受付有効期間内に前記操作情報が前記第１の操作を示すものであると判断した場合、前記第１の操作が行われたものとして処理し、
前記第２の操作受付有効期間内に前記操作情報が前記第１の操作を示すものであると判断した場合、前記第１の操作が行われたものとする演出を行わないことを特徴とする遊技機である。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
高周波磁場パルス及び傾斜磁場パルスの印加強度及びタイミングを定めたパルスシーケンスに従って高周波磁場パルス及び傾斜磁場パルスを印加する磁場印加部と、前記磁場印加部が印加した磁場により検査対象から発生する核磁気共鳴信号を受信する受信部と、を備え、前記パルスシーケンスに含まれる少なくとも１種の傾斜磁場パルスの形状が、前記磁場印加部における傾斜磁場のスルーレートを満たすという条件のもとで形状を自由に変化させて求められた、騒音を最小化する形状であることを特徴とする磁気共鳴イメージング装置。
【請求項２】
請求項１に記載の磁気共鳴イメージング装置であって、前記傾斜磁場パルスの形状が、傾斜磁場強度が常に正または負となる区間で変曲点を３以上持つ曲線で描出される形状であることを特徴とする磁気共鳴イメージング装置。
【請求項３】
請求項１に記載の磁気共鳴イメージング装置であって、前記傾斜磁場パルスの形状は、複数の微小長方形を所定の面積になるまで順次積み上げて形成された形状であり、微小長方形を積み上げて最終的な傾斜磁場パルス形状とするまでに形成される暫定的な形状が、騒音を最小化する形状となるように前記暫定的な形状を更新することにより得られた形状であることを特徴とする磁気共鳴イメージング装置。
【請求項４】
請求項１に記載の磁気共鳴イメージング装置であって、前記傾斜磁場パルスの波形を、形状パラメータで特定される複数の波形を組み合わせた形状で近似することを特徴とする磁気共鳴イメージング装置。
【請求項５】
請求項４に記載の磁気共鳴イメージング装置であって、前記傾斜磁場パルスの波形は、形状パラメータで特定される複数の波形を組み合わせたモデルを初期値として、前記形状パラメータを変化させたときに得られる傾斜磁場パルス形状が騒音を最小化する形状となるように前記形状パラメータの更新を繰り返すことによって得られた形状であることを特徴とする磁気共鳴イメージング装置。
【請求項６】
請求項１に記載の磁気共鳴イメージング装置であって、前記騒音を最小化する形状を持つ傾斜磁場パルスは、周波数エンコード傾斜磁場パルスであることを特徴とする磁気共鳴イメージング装置。
【請求項７】
請求項１に記載の磁気共鳴イメージング装置であって、前記パルスシーケンスを作成するパルスシーケンス作成部をさらに備え、
前記パルスシーケンス作成部は、入力装置を介して入力された撮像条件で決まる制限を追加して、前記騒音を最小化する形状を持つ傾斜磁場パルスを含むパルスシーケンスを作成することを特徴とする磁気共鳴イメージング装置。
【請求項８】
請求項１に記載の磁気共鳴イメージング装置であって、前記騒音を最小化する受信バンド幅を表示装置に表示させる表示制御部をさらに備えることを特徴とする磁気共鳴イメージング装置。
【請求項９】
請求項８に記載の磁気共鳴イメージング装置であって、前記騒音を最小化する受信バンド幅と発生する騒音との関係を表示装置に表示させる表示制御部をさらに備えることを特徴とする磁気共鳴イメージング装置。
【請求項１０】
請求項１に記載の磁気共鳴イメージング装置であって、騒音低減及び画質向上の優先度を選択させるＵＩを表示装置に表示させる表示制御部と、ＵＩを介して選択された優先度に基き、撮像パラメータを制御する撮像制御部とをさらに備えることを特徴とする磁気共鳴イメージング装置。
【請求項１１】
請求項１０に記載の磁気共鳴イメージング装置であって、予め或いは入力装置を介して設定された撮像パラメータにおける騒音レベルを算出する騒音算出部をさらに備え、前記表示制御部は、前記騒音算出部が算出した結果を表示部に表示させることを特徴とする磁気共鳴イメージング装置。
【請求項１２】
請求項１１に記載の磁気共鳴イメージング装置であって、前記表示制御部は第１の撮像パラメータについて算出した騒音レベルを、入力装置を介して変更された第２の撮像パラメータについて算出した騒音レベルとともに、表示装置に表示させることを特徴とする磁気共鳴イメージング装置。
【手続補正２】
【補正対象書類名】明細書
【補正対象項目名】００２９
【補正方法】変更
【補正の内容】
【００２９】
パルスシーケンス作成部１８０は、記憶装置１７２に格納された基本パルスシーケンスと撮像パラメータとを読出し、シーケンサ１４０が実行するパルスシーケンス（以下、基本シーケンスと区別して撮像シーケンスともいう）を作成する。この際、操作者によって騒音を最小化する撮像が選択されている場合には、記憶装置１７２に記憶された傾斜磁場パルス形状を用いて撮像パルスシーケンスを作成する。
【手続補正３】
【補正対象書類名】明細書
【補正対象項目名】００４４
【補正方法】変更
【補正の内容】
【００４４】
ステップＳ１０３は、こうして騒音レベルを最小にする長方形を選択し、その上に、同じ条件を満たす長方形を積み上げることを繰り返しながら、目的の面積を持つ波形を得る。これにより最終的に図８に示したような傾斜磁場パルス波形４１０が得られる。図８の波形は、最大スルーレート＝１３５［（Ｔ／ｍ）／Ｓ］、周波数エンコードの面積＝３．２６８×１０−５［（Ｔ／ｍ）×Ｓ］、リフェーズパルス時間＝３．２７６［ｍｓ］、エンコード時間＝７．２２４［ｍｓ］、ＩＥＴ＝１４．８［ｍｓ］として求めた波形である。
【手続補正４】
【補正対象書類名】明細書
【補正対象項目名】０１０１
【補正方法】変更
【補正の内容】
【０１０１】
また平均の受信バンド幅ＢＷaveではなく、ｋ空間中心における受信バンド幅ＢＷk0でもよい。図２６にＢＷk0と騒音レベルとの関係を示す。この関係も図２４に示す関係と同様な手法で求めたものであり、ＢＷk0の変化に対し騒音レベルの変化が単調ではない、即ち最小値を持つことがわかる。この関係のグラフ及び／又は最小値が表示装置１７３に表示される。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
治療レーザ光を患者眼の組織に照射する眼科用レーザデリバリであって、
レーザ光源から出射された治療レーザ光を導光する光ファイバと、
前記光ファイバから出射された治療レーザ光の光路に設けられ、治療レーザ光の光軸に沿って移動することで、前記組織における治療レーザ光のスポットサイズを調整するズームレンズと、
前記光路のうち前記ズームレンズよりも下流側に設けられ、前記治療レーザ光を前記患者眼に向けて反射させるミラーと、
前記光路のうち前記光ファイバの出射端と前記ズームレンズの間に設けられ、前記ズームレンズによって変化する治療レーザ光のビーム径を制限することで、前記光路の下流側に設けられた部材によって治療レーザ光が遮断される割合、および前記光路から治療レーザ光が逸脱する割合の少なくともいずれかが前記ズームレンズの移動によって変動することを抑制する第１絞りと、
を備えたことを特徴とする眼科用レーザデリバリ。
【請求項２】
請求項１に記載の眼科用レーザデリバリであって、
前記光路のうち前記光ファイバの前記出射端と前記ズームレンズの間に中間レンズをさらに備え、
前記光ファイバは前記出射端から下方に治療レーザ光を出射し、
前記第１絞りは、前記光ファイバの出射端と前記中間レンズの間であり、且つ前記光ファイバの前記出射端からの距離が２．０ｍｍ以上となる位置に設けられることを特徴とする眼科用レーザデリバリ。
【請求項３】
請求項１または２に記載の眼科用レーザデリバリであって、
治療レーザ光の光軸の方向から見た場合の前記第１絞りの開口の形状は、前記ミラーに入射する治療レーザ光の入射光軸の方向から見た場合の前記ミラーの形状に対応することを特徴とする眼科用レーザデリバリ。
【請求項４】
請求項１から３のいずれかに記載の眼科用レーザデリバリを備えたことを特徴とする眼科用レーザ治療装置。
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、遊技者が操作可能な操作装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、正面側に露出する第１下皿部と、該第１下皿部に一体的に設けられ、正面側に露出しない第２下皿部とを含み、
前記第２下皿部の上方を覆うカバー手段を設け、
前記カバー手段によって、前記第２下皿部から前記第１下皿部側以外の下皿外部へ遊技媒体が流出することを阻止し、前記内部空間へ遊技媒体が流出しないようにしており、
さらに、前記下皿には、所定の供給口を介して遊技媒体が供給され、
前記供給口は、前記下皿の左右幅の中心よりも前記第２下皿部側にずれて設けられる
ことを特徴とする遊技機。
【請求項２】
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、所定の演出効果を奏する演出装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、正面側に露出する第１下皿部と、該第１下皿部に一体的に設けられ、正面側に露出しない第２下皿部とを含み、
前記第２下皿部の上方を覆うカバー手段を設け、
前記カバー手段によって、前記第２下皿部から前記第１下皿部側以外の下皿外部へ遊技媒体が流出することを阻止し、前記内部空間へ遊技媒体が流出しないようにしており、
さらに、前記下皿には、所定の供給口を介して遊技媒体が供給され、
前記供給口は、前記下皿の左右幅の中心よりも前記第２下皿部側にずれて設けられる
ことを特徴とする遊技機。
【手続補正２】
【補正対象書類名】明細書
【補正対象項目名】０００２
【補正方法】変更
【補正の内容】
【０００２】
従来の遊技機として、正面視における遊技領域の下方に、遊技領域内に打込むための遊技媒体が貯留される上皿と、上皿の下側に配置され上皿から溢れた遊技媒体が貯留される下皿とを備えているものが一般である（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２００９−２８３９０号公報
【手続補正５】
【補正対象書類名】明細書
【補正対象項目名】０００５
【補正方法】変更
【補正の内容】
【０００５】
しかしながら、従来の遊技機では、遊技者に対する訴求力が低かった。
【手続補正６】
【補正対象書類名】明細書
【補正対象項目名】０００６
【補正方法】変更
【補正の内容】
【０００６】
そこで、本発明は、上記の実情に鑑み、遊技者に対する訴求力の高い遊技機の提供を課題とする。
【手続補正７】
【補正対象書類名】明細書
【補正対象項目名】０００７
【補正方法】変更
【補正の内容】
【０００７】
本発明は、
所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、遊技者が操作可能な操作装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、正面側に露出する第１下皿部と、該第１下皿部に一体的に設けられ、正面側に露出しない第２下皿部とを含み、
前記第２下皿部の上方を覆うカバー手段を設け、
前記カバー手段によって、前記第２下皿部から前記第１下皿部側以外の下皿外部へ遊技媒体が流出することを阻止し、前記内部空間へ遊技媒体が流出しないようにしており、
さらに、前記下皿には、所定の供給口を介して遊技媒体が供給され、
前記供給口は、前記下皿の左右幅の中心よりも前記第２下皿部側にずれて設けられる
ことを特徴とする。
また、所定の遊技が行われる遊技領域と、
正面視において該遊技領域の下方で前方へ膨出し、所定の内部空間が形成された膨出部と、
前記膨出部の上面側に設けられ、前記遊技領域で遊技を行うための遊技媒体が貯留される上皿と、
前記内部空間に収容され、所定の演出効果を奏する演出装置と、
所定高さの周壁を有し、前記上皿から遊技媒体が流入可能な下皿と
を備え、
前記膨出部における前記内部空間と左右方向に並設される空間に、前記下皿が設けられ、
前記下皿は、正面側に露出する第１下皿部と、該第１下皿部に一体的に設けられ、正面側に露出しない第２下皿部とを含み、
前記第２下皿部の上方を覆うカバー手段を設け、
前記カバー手段によって、前記第２下皿部から前記第１下皿部側以外の下皿外部へ遊技媒体が流出することを阻止し、前記内部空間へ遊技媒体が流出しないようにしており、
さらに、前記下皿には、所定の供給口を介して遊技媒体が供給され、
前記供給口は、前記下皿の左右幅の中心よりも前記第２下皿部側にずれて設けられる
ことを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
このように、本発明によれば、訴求力の高い遊技機を提供することができる。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
被検眼の眼底を走査された測定光と、参照光とのＯＣＴ信号を取得するＯＣＴデバイスによって取得されたモーションコントラスト正面画像と、被検眼の眼底を撮影する眼底撮影デバイスによって造影剤を用いて撮影された被検眼の蛍光正面画像と、を取得し、前記モーションコントラスト正面画像と前記蛍光正面画像との間の位置合わせを行う演算制御手段を備えることを特徴とする眼底画像処理装置。
【請求項２】
前記演算制御手段は、前記蛍光正面画像において画像化された血管が分布する深さ領域と共通の深さ領域における前記モーションコントラスト正面画像を取得することを特徴とする請求項１の眼底画像処理装置。
【請求項３】
前記演算制御手段は、前記蛍光正面画像に基づいて被検眼の病変領域を検出し、前記病変領域の少なくとも一部を除外した位置合わせ領域において、前記モーションコントラスト正面画像と前記蛍光正面画像との間の位置合わせを行うことを特徴とする請求項１または２の眼底画像処理装置。
【請求項４】
前記演算制御手段は、前記モーションコントラスト正面画像と前記蛍光正面画像との間の位置合わせ結果に基づき、少なくとも前記病変領域において、前記モーションコントラスト正面画像および前記蛍光正面画像のいずれか一方を他方に重畳させることを特徴とする請求項１〜３のいずれかの眼底画像処理装置。
【請求項５】
前記演算制御手段は、前記モーションコントラスト正面画像と前記蛍光正面画像とを異なる表示色で表示手段に表示することを特徴とする請求項４の眼底画像処理装置。
【請求項６】
眼底画像処理装置において用いられる眼底画像処理プログラムであって、前記眼底画像処理装置のプロセッサによって実行されることで、
被検眼の眼底を走査された測定光と、参照光とのＯＣＴ信号を取得するＯＣＴデバイスによって取得されたモーションコントラスト正面画像と、被検眼の眼底を撮影する眼底撮影デバイスによって造影剤を用いて撮影された被検眼の蛍光正面画像と、を取得し、前記モーションコントラスト正面画像と前記蛍光正面画像との間の位置合わせを行う演算制御ステップを、前記眼底画像処理装置に実行させることを特徴とする眼底画像処理プログラム
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
長手（Ｌ）方向に延びる略管状体に形成され、当該略管状体の内部より円周（ＣＲ）方向に拡張可能なステント（１、１１、２１）であって、
前記略管状体は、円周（ＣＲ）方向に拡張する環状ユニット（４）と、当該環状ユニット（４）を長手（Ｌ）方向に接続する連結ユニット（５、２５）とを有し、
前記環状ユニット（４）は側部（Ｓ）方向の一端部を前記連結ユニット（５、２５）の一端部を介して接続し、複数の環状ユニット（４）を長手Ｌ方向に配列し、
前記連結ユニット（５、２５）は、円周（ＣＲ）方向に、二個の連結ストラット（５ＳＴ、２５ＳＴ）を配置し、
二個の連結ストラット（５ＳＴ、２５ＳＴ）は、環状ユニット（４）の基端（ＰＥ）側と末端（ＤＥ）側の一端部に接続し、当該環状ユニット（４）を中心に見て、お互いに重ならないように非対称の位置に配置した、ことを特徴とするステント（１、１１、２１）。
【請求項２】
長手（Ｌ）方向に延びる略管状体に形成され、当該略管状体の内部より円周（ＣＲ）方向に拡張可能なステント（１、１１、２１）であって、
前記略管状体は、円周（ＣＲ）方向に拡張する環状ユニット（４）と、当該環状ユニット（４）を長手（Ｌ）方向に接続する連結ユニット（５、２５）とを有し、
前記環状ユニット（４）は側部（Ｓ）方向の一端部を前記連結ユニット（５、２５）の一端部を介して接続し、複数の環状ユニット（４）を長手Ｌ方向に配列し、
複数の略蔓巻線状のストラット（ＳＰＳＴ）を有し、当該略蔓巻線状のストラット（ＳＰＳＴ）は、３個以上の連結ストラット（５ＳＴ）と４個以上の環状ストラット（４ＳＴ）とにより成ることを特徴とするステント（１、１１、２１）。
【請求項３】
前記環状ユニット（４）は、ストラット（４ＳＴ）を円周（ＣＲ）方向に、側部（Ｓ）の一方向に複数個の山部（Ｍ）と他の側部（Ｓ）の一方向に複数個の谷部（Ｖ）を介して接続することにより、円周（ＣＲ）方向に連続して略波形状に形成し、
前記ストラット（４ＳＴ）、山部（Ｍ）及び谷部（Ｖ）とによりクラウンユニット（ＣＲＵ）を形成し、
当該クラウンユニット（ＣＲＵ）を円周（ＣＲ）方向に奇数個配置した、ことを特徴とする請求項１または請求項２に記載のステント（１、１１、２１）。
【請求項４】
連結ストラット（５ＳＴ、２５ＳＴ）は、略直線状または略屈曲状であることを特徴とする請求項１から請求項３のいずれか１項に記載のステント（１、１１、２１）。
【請求項５】
連結ストラット（５ＳＴ、２５ＳＴ）は、長手（Ｌ）方向に、基端（ＰＥ）側から末端（ＤＥ）側に見て、基端（ＰＥ）側から末端（ＤＥ）側へ下るように配置したものと、基端（ＰＥ）側から末端（ＤＥ）へ昇るように配置したものとを交互に配置した、ことを特徴とする請求項１から請求項４のいずれか１項に記載のステント（１、１１、２１）。
【請求項６】
環状ユニット（４）は、略直線状のストラット（４ＳＴＳ）と略曲線状のストラット（４ＳＴＣ）を有し、当該略直線状のストラット（４ＳＴＳ）と略曲線状のストラット（４ＳＴＣ）は円周（ＣＲ）方向に、山部（Ｍ）と谷部（Ｖ）を介して、交互に配置したことを特徴とする請求項１から請求項５のいずれか１項に記載のステント（１、１１、２１）。
【手続補正２】
【補正対象書類名】明細書
【補正対象項目名】０００７
【補正方法】変更
【補正の内容】
【０００７】
［１］本発明は、長手（Ｌ）方向に延びる略管状体に形成され、当該略管状体の内部より円周（ＣＲ）方向に拡張可能なステント（１、１１、２１）であって、
前記略管状体は、円周（ＣＲ）方向に拡張する環状ユニット（４）と、当該環状ユニット（４）を長手（Ｌ）方向に接続する連結ユニット（５、２５）とを有し、
前記環状ユニット（４）は側部（Ｓ）方向の一端部を前記連結ユニット（５、２５）の一端部を介して接続し、複数の環状ユニット（４）を長手Ｌ方向に配列し、
前記連結ユニット（５、２５）は、円周（ＣＲ）方向に、二個の連結ストラット（５ＳＴ、２５ＳＴ）を配置し、
二個の連結ストラット（５ＳＴ、２５ＳＴ）は、環状ユニット（４）の基端（ＰＥ）側と末端（ＤＥ）側の一端部に接続し、当該環状ユニット（４）を中心に見て、お互いに重ならないように非対称の位置に配置したステント（１、１１、２１）を提供する。
【手続補正３】
【補正対象書類名】明細書
【補正対象項目名】０００８
【補正方法】変更
【補正の内容】
【０００８】
［２］本発明は、長手（Ｌ）方向に延びる略管状体に形成され、当該略管状体の内部より円周（ＣＲ）方向に拡張可能なステント（１、１１、２１）であって、
前記略管状体は、円周（ＣＲ）方向に拡張する環状ユニット（４）と、当該環状ユニット（４）を長手（Ｌ）方向に接続する連結ユニット（５、２５）とを有し、
前記環状ユニット（４）は側部（Ｓ）方向の一端部を前記連結ユニット（５、２５）の一端部を介して接続し、複数の環状ユニット（４）を長手Ｌ方向に配列し、
複数の略蔓巻線状のストラット（ＳＰＳＴ）を有し、当該略蔓巻線状のストラット（ＳＰＳＴ）は、３個以上の連結ストラット（５ＳＴ）と４個以上の環状ストラット（４ＳＴ）とにより成るステント（１、１１、２１）を提供する。
【手続補正４】
【補正対象書類名】明細書
【補正対象項目名】０００９
【補正方法】変更
【補正の内容】
【０００９】
［３］本発明は、前記環状ユニット（４）は、ストラット（４ＳＴ）を円周（ＣＲ）方向に、側部（Ｓ）の一方向に複数個の山部（Ｍ）と他の側部（Ｓ）の一方向に複数個の谷部（Ｖ）を介して接続することにより、円周（ＣＲ）方向に連続して略波形状に形成し、
前記ストラット（４ＳＴ）、山部（Ｍ）及び谷部（Ｖ）とによりクラウンユニット（ＣＲＵ）を形成し、
当該クラウンユニット（ＣＲＵ）を円周（ＣＲ）方向に奇数個配置した［１］または［２］に記載のステント（１、１１、２１）を提供する。
［４］本発明は、連結ストラット（５ＳＴ、２５ＳＴ）は、略直線状または略屈曲状である［１］から［３］のいずれか１項に記載のステント（１、１１、２１）を提供する。
【手続補正５】
【補正対象書類名】明細書
【補正対象項目名】００１０
【補正方法】変更
【補正の内容】
【００１０】
［５］本発明は、連結ストラット（５ＳＴ、２５ＳＴ）は、長手（Ｌ）方向に、基端（ＰＥ）側から末端（ＤＥ）側に見て、基端（ＰＥ）側から末端（ＤＥ）側へ下るように配置したものと、基端（ＰＥ）側から末端（ＤＥ）へ昇るように配置したものとを交互に配置した［１］から［４］のいずれか１項に記載のステント（１、１１、２１）を提供する。
［６］本発明は、環状ユニット（４）は、略直線状のストラット（４ＳＴＳ）と略曲線状のストラット（４ＳＴＣ）を有し、当該略直線状のストラット（４ＳＴＳ）と略曲線状のストラット（４ＳＴＣ）は円周（ＣＲ）方向に、山部（Ｍ）と谷部（Ｖ）を介して、交互に配置した［１］から［５］のいずれか１項に記載のステント（１、１１、２１）を提供する。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
眼部の共焦点画像と非共焦点画像とを含む前記眼部の複数種類の画像を取得する画像取得手段と、
前記共焦点画像及び前記非共焦点画像の一方の解析結果に基づいて、他方の生成と解析との少なくとも一方を実行するか否かを決定する決定手段と、
前記他方の生成と解析との少なくとも一方を実行すると決定された場合には、前記他方と前記他方の解析結果との少なくとも一方を表示手段に表示させる表示制御手段と、
を有することを特徴とする情報処理装置。
【請求項２】
前記共焦点画像及び前記非共焦点画像の一方の解析結果として前記共焦点画像及び前記非共焦点画像における観察対象の状態に基づいて、前記他方の生成と解析との少なくとも一方を実行するか否かを決定することを特徴とする請求項１に記載の情報処理装置。
【請求項３】
前記共焦点画像を解析することにより、前記共焦点画像における観察対象の状態を判定する判定手段を更に有し、
前記決定手段は、前記観察対象の状態に基づいて、前記非共焦点画像の生成と解析との少なくとも一方を実行するか否かを決定することを特徴とする請求項２に記載の情報処理装置。
【請求項４】
前記観察対象の状態は、前記共焦点画像における病変領域の有無であり、
前記決定手段は、前記病変領域が有る場合には、前記非共焦点画像の生成と解析との少なくとも一方を実行すると決定することを特徴とする請求項３に記載の情報処理装置。
【請求項５】
前記病変領域の有無は、前記共焦点画像における視細胞欠損領域の有無であり、
前記決定手段は、前記視細胞欠損領域が有る場合には、前記非共焦点画像の生成と解析との少なくとも一方を実行すると決定することを特徴とする請求項４に記載の情報処理装置。
【請求項６】
眼部の共焦点画像と非共焦点画像とを含む前記眼部の複数種類の画像を取得する画像取得手段と、
前記取得された複数種類の画像を解析する解析方法を独立に決定する決定手段と、
前記決定された解析方法に基づいて前記取得された複数種類の画像の少なくとも一つを解析することにより得られた解析結果を、表示手段に表示させる表示制御手段と、
を有することを特徴とする情報処理装置。
【請求項７】
前記決定手段は、前記取得された複数種類の画像の属性、解剖学的特徴、病変候補、画質、輝度特性、指示された撮像条件に対する適合度、過去検査の画像属性に対する適合度の少なくとも一つに基づいて、前記解析方法を決定することを特徴とする請求項６に記載の情報処理装置。
【請求項８】
前記決定手段は、画像の読み込み、画像間の演算、画像特徴の抽出、画像の計測、画像の表示、に関する方法の少なくとも一つを、前記解析方法として決定することを特徴とする請求項６または７に記載の情報処理装置。
【請求項９】
前記決定手段は、前記取得された複数種類の画像を解析するか否かを、前記解析方法として決定することを特徴とする請求項６乃至８のいずれか１項に記載の情報処理装置。
【請求項１０】
前記眼部の複数種類の画像を撮る眼科撮像装置と通信可能に接続され、
前記画像取得手段は、前記眼部を略同時に撮像して得た複数種類の画像を取得することを特徴とする請求項１乃至９のいずれか１項に記載の情報処理装置。
【請求項１１】
前記眼科撮像装置は、前記眼部の共焦点画像と非共焦点画像とを取得するための兼用の光源と、前記光源からの光が照射された前記眼部からの戻り光を、共焦点領域を通る戻り光と非共焦点領域を通る戻り光とに分割する光学部材とを有し、
前記画像取得手段は、前記共焦点領域を通る戻り光に基づいて前記共焦点画像を取得し、前記非共焦点領域を通る戻り光に基づいて前記非共焦点画像を取得することを特徴とする請求項１０に記載の情報処理装置。
【請求項１２】
前記画像取得手段は、前記共焦点領域を通る戻り光と前記非共焦点領域を通る戻り光とのうち少なくとも一つを受光する受光部の前段に設けられた開口部の位置と形状とのうち少なくとも一つが調整されて得た前記眼部の共焦点画像と非共焦点画像とを取得することを特徴とする請求項１１に記載の情報処理装置。
【請求項１３】
前記眼部における前記共焦点画像の取得位置と前記非共焦点画像の取得位置とが同じであることを特徴とする請求項１乃至１２のいずれか１項に記載の情報処理装置。
【請求項１４】
眼部の共焦点画像と非共焦点画像とを含む前記眼部の複数種類の画像を取得する工程と、
前記共焦点画像及び前記非共焦点画像の一方の解析結果に基づいて、他方の生成と解析との少なくとも一方を実行するか否かを決定する工程と、
前記他方の生成と解析との少なくとも一方を実行すると決定された場合には、前記他方と前記他方の解析結果との少なくとも一方を表示手段に表示させる工程と、
を有することを特徴とする情報処理装置の作動方法。
【請求項１５】
眼部の共焦点画像と非共焦点画像とを含む前記眼部の複数種類の画像を取得する工程と、
前記取得された複数種類の画像を解析する解析方法を独立に決定する工程と、
前記決定された解析方法に基づいて前記取得された複数種類の画像の少なくとも一つを解析することにより得られた解析結果を、表示手段に表示させる工程と、
を有することを特徴とする情報処理装置の作動方法。
【請求項１６】
請求項１４または１５に記載の情報処理装置の作動方法をコンピュータで実行するためのプログラム。
【手続補正２】
【補正対象書類名】明細書
【補正対象項目名】００１０
【補正方法】変更
【補正の内容】
【００１０】
本発明の一態様による情報処理装置は、
眼部の共焦点画像と非共焦点画像とを含む前記眼部の複数種類の画像を取得する画像取得手段と、
前記共焦点画像及び前記非共焦点画像の一方の解析結果に基づいて、他方の生成と解析との少なくとも一方を実行するか否かを決定する決定手段と、
前記他方の生成と解析との少なくとも一方を実行すると決定された場合には、前記他方と前記他方の解析結果との少なくとも一方を表示手段に表示させる表示制御手段と、を有する。
【手続補正３】
【補正対象書類名】明細書
【補正対象項目名】００１１
【補正方法】変更
【補正の内容】
【００１１】
また、本発明の一態様による情報処理装置の作動方法は、
眼部の共焦点画像と非共焦点画像とを含む前記眼部の複数種類の画像を取得する工程と、
前記共焦点画像及び前記非共焦点画像の一方の解析結果に基づいて、他方の生成と解析との少なくとも一方を実行するか否かを決定する工程と、
前記他方の生成と解析との少なくとも一方を実行すると決定された場合には、前記他方と前記他方の解析結果との少なくとも一方を表示手段に表示させる工程と、を有する。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
異なる時間に眼部を撮影して得た複数の共焦点画像と前記複数の共焦点画像に時間的に対応する複数の非共焦点画像とを含む複数種類の画像を取得する画像取得手段と、
前記複数の非共焦点画像の位置ずれを示す情報を、前記複数種類の画像の少なくとも一つの位置ずれを示す情報として取得する情報取得手段と、
を有することを特徴とする情報処理装置。
【請求項２】
前記取得された位置ずれを示す情報に基づいて、前記複数種類の画像の少なくとも一つを位置合わせする位置合わせ手段を更に有することを特徴とする請求項１に記載の情報処理装置。
【請求項３】
前記複数種類の画像のうち前記位置合わせされる画像の種類を決定する決定手段を更に有し、
前記位置合わせ手段は、前記決定された種類の画像として前記複数の共焦点画像が決定された場合に、前記取得された位置ずれを示す情報に基づいて、前記複数の共焦点画像を位置合わせすることを特徴とする請求項２に記載の情報処理装置。
【請求項４】
前記決定手段は、画像が取得された取得位置、取得された画像の種類毎に算出される画像内もしくは画像間の評価値、の少なくとも一方に基づいて、前記位置合わせに用いる画像の種類を決定することを特徴とする請求項３に記載の情報処理装置。
【請求項５】
前記位置合わせ手段は、フレーム間位置合わせ、画像内の局所領域間の位置合わせ、画像貼り合わせ、異なる種類の画像間の位置合わせ、の少なくとも一つを行うことを特徴とする請求項２乃至４のいずれか１項に記載の情報処理装置。
【請求項６】
前記位置合わせ手段によって位置合わせされた画像を表示手段に表示させる表示制御手段を更に有することを特徴とする請求項２乃至５のいずれか１項に記載の情報処理装置。
【請求項７】
前記複数種類の画像のうち前記位置ずれを示す情報を取得するための画像の種類を選択する選択手段を更に有し、
前記情報取得手段は、前記選択された種類の画像として前記複数の非共焦点画像が選択された場合に、前記複数の非共焦点画像の位置ずれを示す情報を、前記複数種類の画像の少なくとも一つの位置ずれを示す情報として取得することを特徴とする請求項１乃至６のいずれか１項に記載の情報処理装置。
【請求項８】
前記眼部の複数種類の画像を撮る眼科撮像装置と通信可能に接続され、
前記画像取得手段は、前記眼部を略同時に撮像して得た複数種類の画像を取得することを特徴とする請求項１乃至７のいずれか１項に記載の情報処理装置。
【請求項９】
前記取得された位置ずれを示す情報に基づいて、前記眼部を追尾するように前記眼科撮像装置を制御する制御手段を更に有することを特徴とする請求項８に記載の情報処理装置。
【請求項１０】
前記眼科撮像装置は、前記複数の共焦点画像と前記複数の非共焦点画像とを取得するための兼用の光源と、前記光源からの光が照射された前記眼部からの戻り光を、共焦点領域を通る戻り光と非共焦点領域を通る戻り光とに分割する光学部材とを有し、
前記画像取得手段は、前記共焦点領域を通る戻り光に基づいて、前記複数の共焦点画像を取得し、前記非共焦点領域を通る戻り光に基づいて、前記複数の非共焦点画像を取得することを特徴とする請求項８または９に記載の情報処理装置。
【請求項１１】
前記画像取得手段は、前記共焦点領域を通る戻り光と前記非共焦点領域を通る戻り光とのうち少なくとも一つを受光する受光部の前段に設けられた開口部の位置と形状とのうち少なくとも一つが調整されて得た前記眼部の共焦点画像と非共焦点画像とを取得することを特徴とする請求項１０に記載の情報処理装置。
【請求項１２】
前記眼部における前記複数の共焦点画像の取得位置と前記複数の非共焦点画像の取得位置とが同じであることを特徴とする請求項１乃至１１のいずれか１項に記載の情報処理装置。
【請求項１３】
異なる時間に眼部を撮影して得た複数の共焦点画像と前記複数の共焦点画像に時間的に対応する複数の非共焦点画像とを含む複数種類の画像を取得する工程と、
前記複数の非共焦点画像の位置ずれを示す情報を、前記複数種類の画像の少なくとも一つの位置ずれを示す情報として取得する工程と、
を有することを特徴とする情報処理装置の作動方法。
【請求項１４】
請求項１３に記載の情報処理装置の作動方法をコンピュータで実行するためのプログラム。
【手続補正２】
【補正対象書類名】明細書
【補正対象項目名】００１１
【補正方法】変更
【補正の内容】
【００１１】
本発明の一態様による情報処理装置は、
異なる時間に眼部を撮影して得た複数の共焦点画像と複数の非共焦点画像とを含む複数種類の画像を取得する画像取得手段と、
前記複数の非共焦点画像の位置ずれを示す情報を、前記複数種類の画像の少なくとも一つの位置ずれを示す情報として取得する情報取得手段と、を有する。
【手続補正３】
【補正対象書類名】明細書
【補正対象項目名】００１２
【補正方法】変更
【補正の内容】
【００１２】
また、本発明の一態様による情報処理装置の作動方法は、
異なる時間に眼部を撮影して得た複数の共焦点画像と複数の非共焦点画像とを含む複数種類の画像を取得する工程と、
前記複数の非共焦点画像の位置ずれを示す情報を、前記複数種類の画像の少なくとも一つの位置ずれを示す情報として取得する工程と、を有する。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
眼部の共焦点画像と非共焦点画像とを含む前記眼部の複数種類の画像を取得する画像取得手段と、
前記共焦点画像及び前記非共焦点画像を記憶領域に保存する保存形式を独立に決定する決定手段と、
前記決定された保存形式に基づいて、前記取得された複数種類の画像の少なくとも一つを前記記憶領域に保存する保存手段と、
を有することを特徴とする情報処理装置。
【請求項２】
前記決定手段は、前記取得された複数種類の画像における観察対象であって、前記眼部の異なる複数の合焦位置に対応する複数の観察対象のうちのいずれかの観察対象に基づいて、前記共焦点画像及び前記非共焦点画像を記憶領域に保存する保存形式を決定することを特徴とする請求項１に記載の情報処理装置。
【請求項３】
前記決定手段は、前記記憶領域に保存される前記共焦点画像と前記非共焦点画像との間におけるフレーム数とデータ量との少なくとも一方の大小関係が異なるように、前記保存形式を決定することを特徴とする請求項１または２に記載の情報処理装置。
【請求項４】
前記決定手段は、前記観察対象が視細胞である場合には、前記記憶領域に保存される前記共焦点画像のフレーム数が、前記記憶領域に保存される前記非共焦点画像のフレーム数よりも多くなるように、前記観察対象が血管である場合には、前記記憶領域に保存される前記共焦点画像のフレーム数が、前記記憶領域に保存される前記非共焦点画像のフレーム数よりも少なくなるように、前記保存形式を決定することを特徴とする請求項１乃至３のいずれか１項に記載の情報処理装置。
【請求項５】
前記決定手段は、前記観察対象が視細胞である場合には、前記記憶領域に保存される前記共焦点画像のデータ量が、前記非共焦点画像が前記記憶領域に保存される前記非共焦点画像のデータ量よりも多くなるように、前記観察対象が血管である場合には、前記記憶領域に保存される前記共焦点画像のデータ量が、前記記憶領域に保存される前記非共焦点画像のデータ量よりも少なくなるように、前記保存形式を決定することを特徴とする請求項１乃至４のいずれか１項に記載の情報処理装置。
【請求項６】
前記取得された複数種類の画像の種類毎に異なる保存形式を指定する指定手段を更に有し、
前記決定手段は、前記指定された保存形式を決定することを特徴とすることを特徴とする請求項１乃至５のいずれか１項に記載の情報処理装置。
【請求項７】
前記指定手段は、前記取得された複数種類の画像を前記記憶領域に保存するか否かを、前記保存形式として指定することを特徴とする請求項６に記載の情報処理装置。
【請求項８】
前記決定手段は、前記取得された複数種類の画像の属性、解剖学的特徴、病変候補、画質、輝度特性、指示された撮像条件に対する適合度、過去検査の画像属性に対する適合度、解析結果との少なくとも一つに基づいて、前記保存形式を決定することを特徴とする請求項１乃至７のいずれか１項に記載の情報処理装置。
【請求項９】
前記決定手段は、前記記憶領域に保存される画像の種類、フォーマット、階調数、圧縮法の少なくとも一つを、前記保存形式として決定することを特徴とする請求項１乃至８のいずれか１項に記載の情報処理装置。
【請求項１０】
前記眼部の複数種類の画像を撮る眼科撮像装置と通信可能に接続され、
前記画像取得手段は、前記眼部を略同時に撮像して得た複数種類の画像を取得することを特徴とする請求項１乃至９のいずれか１項に記載の情報処理装置。
【請求項１１】
前記眼科撮像装置は、前記眼部の共焦点画像と非共焦点画像とを取得するための兼用の光源と、前記光源からの光が照射された前記眼部からの戻り光を、共焦点領域を通る戻り光と非共焦点領域を通る戻り光とに分割する光学部材とを有し、
前記画像取得手段は、前記共焦点領域を通る戻り光に基づいて前記共焦点画像を取得し、前記非共焦点領域を通る戻り光に基づいて前記非共焦点画像を取得することを特徴とする請求項１０に記載の情報処理装置。
【請求項１２】
前記画像取得手段は、前記共焦点領域を通る戻り光と前記非共焦点領域を通る戻り光とのうち少なくとも一つを受光する受光部の前段に設けられた開口部の位置と形状とのうち少なくとも一つが調整されて得た前記眼部の共焦点画像と非共焦点画像とを取得することを特徴とする請求項１１に記載の情報処理装置。
【請求項１３】
前記眼部における前記共焦点画像の取得位置と前記非共焦点画像の取得位置とが同じであることを特徴とする請求項１乃至１２のいずれか１項に記載の情報処理装置。
【請求項１４】
眼部の共焦点画像と非共焦点画像とを含む前記眼部の複数種類の画像を取得する工程と、
前記共焦点画像及び前記非共焦点画像を記憶領域に保存する保存形式を独立に決定する工程と、
前記決定された保存形式に基づいて、前記取得された複数種類の画像の少なくとも一つを前記記憶領域に保存する工程と、
を有することを特徴とする情報処理装置の作動方法。
【請求項１５】
請求項１４に記載の情報処理装置の作動方法をコンピュータで実行するためのプログラム。
【手続補正２】
【補正対象書類名】明細書
【補正対象項目名】００１０
【補正方法】変更
【補正の内容】
【００１０】
本発明の一態様による情報処理装置は、
眼部の共焦点画像と非共焦点画像とを含む前記眼部の複数種類の画像を取得する画像取得手段と、
前記共焦点画像及び前記非共焦点画像を記憶領域に保存する保存形式を独立に決定する決定手段と、
前記決定された保存形式に基づいて、前記取得された複数種類の画像の少なくとも一つを前記記憶領域に保存する保存手段と、を有する。
【手続補正３】
【補正対象書類名】明細書
【補正対象項目名】００１１
【補正方法】変更
【補正の内容】
【００１１】
また、本発明の一態様による情報処理装置の作動方法は、
眼部の共焦点画像と非共焦点画像とを含む前記眼部の複数種類の画像を取得する工程と、
前記共焦点画像及び前記非共焦点画像を記憶領域に保存する保存形式を独立に決定する工程と、
前記決定された保存形式に基づいて、前記取得された複数種類の画像の少なくとも一つを前記記憶領域に保存する工程と、を有する。